(57)【要約】      （修正有）【課題】自動車の後部座席の同乗者が確実に車両後方の状況を適格に確認できるルームミラーを提供する。【解決手段】ルームミラーは、車のヘッドレスト７の支持柱を座席の背もたれから取り外し、パッキングを投入した支持柱３の位置決め部３２にヘッドレスト７の外側の支持柱を貫通させて、例えばネジである結束部材６をネジ孔に挿通させて締結し、位置決め部３２をヘッドレスト７の支持柱に圧接させて位置決めする。また、球状端縁部を有する枢結部の作用を利用して、車輌後方の状況を確認しやすくなるように、ミラー支持部１とミラー２の角度を適宜に調節する。【選択図】図１
0003124889.tif 000002
【実用新案登録請求の範囲】
【請求項１】
ミラー支持部と、ミラーと、支持柱とによって構成してなり、座席のヘッドレストの外側の支持柱に設けて、後部座席の同乗者による車輌後方の状況確認に供することを特徴とするルームミラー。
【請求項２】
前記ミラー支持部の背面には、嵌着孔を形成した挟持部を設け、かつ支持柱の一端には球状端縁部を有する枢結部を接続し、該枢結部の球状端縁部を該挟持部の嵌着孔に嵌着して、該ミラー支持部と該ミラーの角度を調節できるように構成することを特徴とする請求項１に記載のルームミラー。
【請求項３】
前記枢結部が、左右にブロック体を対向させて設け、かつそれぞれのブロック体にネジ孔を穿設し、該ネジ孔に締結部材を挿通させて締結することによって、該挟持部の該枢結部に対する挟持力を強めて位置決めできるように構成することを特徴とする請求項２に記載のルームミラー。
【請求項４】
前記ミラー支持部が、円形か、方形か、もしくは其の他形状であることを特徴とする請求項１に記載のルームミラー。
【請求項５】
前記ミラーが平面鏡か、もしくは曲面鏡であることを特徴とする請求項１に記載のルームミラー。
【請求項６】
前記支持柱の一端に管状の位置決め部を設け、該位置決め部に座席のヘッドレストの支持柱を貫通させ、さらに締結部材で該位置決め部をヘッドレストの支持柱に圧接させて位置決めできるように構成することを特徴とする請求項１に記載のルームミラー。
【請求項７】
前記支持柱の位置決め部の内部パッキングを挿入することを特徴とする請求項６に記載のルームミラー。
【請求項８】
前記支持柱の位置決め部の内径が、該ルームミラーを設ける車種のヘッドレストの支持柱の直径に合わせて形成されることを特徴とする請求項６に記載のルームミラー。
【考案の詳細な説明】
【技術分野】
【０００１】
この考案はルームミラーに関し、特に自動車の後部座席の同乗者が後方の状況を確認するために供するルームミラーに関する。
【背景技術】
【０００２】
一般に、自動車は車体の外部に設けるルームミラーと、車内の運転席上方に設けるルームミラーとを具え、車両の後方の状況を確認するために提供される。例えば走行中に後方の車両を確認する以外に運転者、もしくは助手席の同乗者が下車する場合に、これらルームミラー、またはルームミラーで後方から他の車両が接近してくるか、否か判断する。
【０００３】
しかしながら、車体の外部に設けるルームミラー、または運転席上方に設けるルームミラーは、後部座席の同乗者が下車する場合の後方の状況確認に供することができない。よって、後部座席の同乗者が下車のために車両後方の状況を確認する場合は振り向いて直接確認しなければならないため危険な状況が発生する恐れがある。
【考案の開示】
【考案が解決しようとする課題】
【０００４】
そこで、後部座席の同乗者に供するルームミラーが必要となる。この考案は自動車の後部座席の同乗者が確実に車両後方の状況を確認できるルームミラーを提供することを課題とする。
【課題を解決するための手段】
【０００５】
そこで、本考案者は従来の技術に見られる欠点に鑑みて鋭意研究を重ねた結果、ミラー支持部と、ミラーと、支持柱とによって構成してなり、座席のヘッドレストの外側の支持柱に設けるルームミラーの構造によって課題を解決できる点に着眼し、かかる知見に基づいて本考案を完成させた。
【０００６】
以下、この考案について具体的に説明する。
請求項１に記載するルームミラーは、  ミラー支持部と、ミラーと、支持柱とによって構成してなり、座席のヘッドレストの外側の支持柱に設けて、後部座席の同乗者による車輌後方の状況確認に供する。
【０００７】
請求項２に記載するルームミラーは、  請求項１におけるミラー支持部の背面には、嵌着孔を形成した挟持部を設け、かつ支持柱の一端には球状端縁部を有する枢結部を接続し、該枢結部の球状端縁部を該挟持部の嵌着孔に嵌着して、該ミラー支持部と該ミラーの角度を調節できるように構成する。
【０００８】
請求項３に記載するルームミラーは、  請求項２における枢結部が、左右にブロック体を対向させて設け、かつそれぞれのブロック体にネジ孔を穿設し、該ネジ孔に締結部材を挿通させて締結することによって、該挟持部の該枢結部に対する挟持力を強めて位置決めできるように構成する。
【０００９】
請求項４に記載するルームミラーは、  請求項１におけるミラー支持部が、円形か、方形か、もしくは其の他形状である。
【００１０】
請求項５に記載するルームミラーは、  請求項１におけるミラーが平面鏡か、もしくは曲面鏡である。
【００１１】
請求項６に記載するルームミラーは、  請求項１における支持柱の一端に管状の位置決め部を設け、該位置決め部に座席のヘッドレストの支持柱を貫通させ、さらに締結部材で該位置決め部をヘッドレストの支持柱に圧接させて位置決めできるように構成する。
【００１２】
請求項７に記載するルームミラーは、  請求項６における支持柱の位置決め部の内部パッキングを挿入する。
【００１３】
請求項８に記載するルームミラーは、  請求項６における支持柱の位置決め部の内径が、該ルームミラーを設ける車種のヘッドレストの支持柱の直径に合わせて形成される。
【考案の効果】
【００１４】
この考案によるルームミラーは、後部座席の同乗者が車輌後方を確認するために便利であるため、例えば下車する場合、車輌後方の状況を容易に確認することができ、安全性を高めることができるという効果を有する。
【考案を実施するための最良の形態】
【００１５】
この考案は、自動車の後部座席の同乗者が確実に車両後方の状況を適格に確認できるルームミラーを提供するものであって、ミラー支持部と、ミラーと、支持柱とによって構成してなり、座席のヘッドレストの外側の支持柱に設ける。
かかるルームミラーの構造と特徴を詳述するために具体的な実施例を挙げ、図示を参照にして以下に説明する。
【実施例】
【００１６】
図１は、この考案によるルームミラーの分解図である。図面によれば、車内用のルームミラーは、ミラー支持部１と、ミラー２と、支持柱３などを含んでなる。
【００１７】
実施例においては、ミラー支持部１を円形に形成するが、実施する場合は其の他の形状であってもよい。また、ミラー支持部１は、正面となるミラー２側の面に外周に沿ってミラー２を支持する支持溝１１を形成するとともに、背面には挟持部１２を突起した状態に設ける。即ち、左右のブロック体を対向させて設け、該左右のブロック体が対向して設けられた状態において部分中央の位置に嵌着孔１２１が形成されるように、それぞれのブロック体に半円状の溝を形成する。さらに、それぞれのブロックにはネジ孔１２２を穿設する。
【００１８】
ミラー２は、ミラー支持部１の形状に合わせて形成する。実施例においては、広角で円弧状に突起した曲面鏡を用いるが、但し平面鏡を用いてもよい。
【００１９】
支持柱３は桿体で形成し、一端には球状の端縁部を有する枢結部３１を接続し、他端には管状の位置決め部３２を設ける。位置決め部３２には、螺刻したネジ孔３２１を形成し、かつ内部にパッキング４を挿設する。また、位置決め部３２は、内径をヘッドレスト７の支柱７１の直径に合わせて形成する。この場合、異なる車種のヘッドレスの支柱に合わせるためには、それぞれ異なる内径の管材で位置決め部３２を形成する。
【００２０】
以上の構成によるルームミラーを組み立てる場合、図１から図３に開示するように、ミラー２をミラー支持部１の支持溝１１に嵌着し、支持柱３の枢結部３１の球状端縁部をミラー支持部１の背面に設けた挟持部１２の嵌着孔１２１に嵌着して、例えばボルトである締結部材５をネジ孔１２１に挿通させて締結し、挟持部１２の挟持力を強めて位置決めする。
【００２１】
上述する手順で組み立てたルームミラーは、図４、５に開示するように、車のヘッドレスト７の支持柱７１を座席の背もたれ８から取り外し、パッキング４を挿入した支持柱３の位置決め部３２にヘッドレスト７の外側の支持柱７１を貫通させて、例えばネジである締結部材６をネジ孔３２１に挿通させて締結し、位置決め部３２をヘッドレス７の支持柱７１に圧接させて位置決めする。また、球状端縁部を有する枢結部３１の作用を利用して、車輌後方の状況を確認しやすくなるように、ミラー支持部１とミラー２の角度を適宜に調節する。
【００２２】
実施例においては、この考案によるルームミラーを５人乗りの乗用車に設ける場合を想定し、助手席のヘッドレストを支持する支持柱に設ける形態を説明した。但し、７人乗り、もしくは９人乗りの車輌に設ける場合は、助手席以外に、二列目の両側の座席のヘッドレストの支持柱に設けることができる。
【００２３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２４】
【図１】この考案によるルームミラーの分解図である。
【図２】この考案におけるミラー支持部の背面図である。
【図３】図１に開示するルームミラーミラーの部分的な断面図である。
【図４】図１に開示するルームミラーの取り付け方法を示した説明図である。
【図５】図１に開示する車内用のルームミラーの使用態様を示した説明図である。
【符号の説明】
【００２５】
１            ミラー支持部
１１          支持溝
１２          挟持部
１２１        嵌着孔
１２２        ネジ孔
２            ミラー
３            支持柱
３１          枢結部
３２          位置決め部
３２１        ネジ孔
４            パッキング
６            締結部材
７            ヘッドレスト
７１          支持柱
【図１】
0003124889.tif 000003
【図２】
0003124889.tif 000004
【図３】
0003124889.tif 000005
【図４】
0003124889.tif 000006
【図５】
0003124889.tif 000007